(57)【特許請求の範囲】
【請求項１】
逆Ｕ字状の相対する長辺側土手部及び該長辺側土手部より高さが高く、且つ、逆Ｕ字状の相対する短辺側土手部とを有する底部と、該底部の相対する長辺側土手部にヒンジ部材を介して連結された長側壁と、前記底部の相対する短辺側土手部にヒンジ部材を介して連結された短側壁とからなり、折り畳み状態においては、前記長側壁が、前記底部に重なるように折り畳まれ、更に、前記長側壁の上に、前記短側壁が重なるように折り畳まれるように構成された折り畳みコンテナーにおいて、上に位置する折り畳まれた状態の折り畳みコンテナーの前記底部の短辺側土手部と下に位置する折り畳まれた状態の折り畳みコンテナーの前記底部の短辺側土手部との間に間隙が形成されないように、折り畳まれた状態の折り畳みコンテナーが段積みされた際に、前記底部の短辺側土手部側から前記折り畳まれた状態の折り畳みコンテナーを持ち上げることができるように、前記短辺側土手部には、該短辺側土手部を形成する垂直外壁部を凹ますことにより、前記短辺側土手部を構成する天部と同じく前記短辺側土手部を構成する垂直内壁部と下板と相対す側板とからなる持ち手用凹部が形成されているとともに、前記長辺側土手部にも、前記短辺側土手部に形成された持ち手用凹部と同様の持ち手用凹部が形成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，図８に示されているように、平面形状が略長方形に形成された底部１の相対する高さの低い長辺側土手部１ａにヒンジ連結された長側壁２と、同じく上記底部１の相対する高さの高い短辺側土手部１ｂにヒンジ連結された短側壁３とからなる折り畳みコンテナーが知られており、このような折り畳みコンテナーは、折り畳み状態においては、先に倒された相対する長側壁２が、底部１に重ねられており、また、後から倒された相対する短側壁３が、先に倒され底部１に重ねられている長側壁２の上に載置されるようにして、高さの低いコンパクトな状態に折り畳まれている。
【０００３】
上述した従来の折り畳まれた状態の折り畳みコンテナーを段積みした際には、上に位置する折り畳みコンテナーの底部１の高さの高い短辺側土手部１ｂが、下に位置する折り畳みコンテナーの底部１の短辺側土手部１ｂに載置されるようにして段積みされることになる。
【０００４】
【発明が解決しようとする課題】
上述したような構成の折り畳みコンテナーを、折り畳まれた状態で、図８に示されているように、段積みすると、上に位置する折り畳みコンテナーの底部１の短辺側土手部１ｂと下に位置する折り畳みコンテナーの底部１の短辺側土手部１ｂとの間に間隙が形成されていないので、段積みされた折り畳みコンテナーを持ち上げる際に、底部１の短辺側土手部１ｂ側には手が挿入可能な持ち手用凹部がなく、従って、折り畳まれた状態で段積みされている折り畳みコンテナーの取り出し作業の作業性が悪いという問題があった。底部１の長辺側土手部１ａ側には、所定の間隙があるので、底部１の長辺側土手部１ａの下に手を入れて、長辺側土手部１ａを両手で持って、折り畳まれた状態の折り畳みコンテナーを持ち上げることもできるが、折り畳みコンテナーの底部１の短辺側土手部１ｂを両手で持って持ち上げる方が、安定した状態で持ち上げることができし、安定した状態で持ち運ぶことができる。
【０００５】
本発明の目的は、上述した従来の折り畳みコンテナーが有する課題を解決することにある。
【０００６】
【課題を解決するための手段】
本発明は、上述した目的を達成するために、逆Ｕ字状の相対する長辺側土手部及び該長辺側土手部より高さが高く、且つ、逆Ｕ字状の相対する短辺側土手部とを有する底部と、該底部の相対する長辺側土手部にヒンジ部材を介して連結された長側壁と、前記底部の相対する短辺側土手部にヒンジ部材を介して連結された短側壁とからなり、折り畳み状態においては、前記長側壁が、前記底部に重なるように折り畳まれ、更に、前記長側壁の上に、前記短側壁が重なるように折り畳まれるように構成された折り畳みコンテナーにおいて、上に位置する折り畳まれた状態の折り畳みコンテナーの前記底部の短辺側土手部と下に位置する折り畳まれた状態の折り畳みコンテナーの前記底部の短辺側土手部との間に間隙が形成されないように、折り畳まれた状態の折り畳みコンテナーが段積みされた際に、前記底部の短辺側土手部側から前記折り畳まれた状態の折り畳みコンテナーを持ち上げることができるように、前記短辺側土手部には、該短辺側土手部を形成する垂直外壁部を凹ますことにより、前記短辺側土手部を構成する天部と同じく前記短辺側土手部を構成する垂直内壁部と下板と相対す側板とからなる持ち手用凹部を形成するとともに、前記長辺側土手部にも、前記短辺側土手部に形成された持ち手用凹部と同様の持ち手用凹部を形成したものである。
【０００７】
【実施例】
以下に、本発明の実施例について説明するが、本発明の趣旨を越えない限り何ら、本実施例に限定されるものでない。
【０００８】
１０は、平面形状が略長方形に形成された底部であり．底部１０の相対する長辺側土手部１０ａには、適当な複数のヒンジ部材Ｈを介して、長側壁２０が連結されており、また、底部１０の相対する短辺側土手部１０ｂには、適当な複数のヒンジ部材Ｈを介して、短側壁３０が連結されている。そして、底部１０の長辺側土手部１０ａの高さは、短辺側土手部１０ｂの高さより、低く形成されている。
【０００９】
図１に示されている箱型に組み立てられた状態の折り畳みコンテナーを、図３に示されているように折り畳むには、先ず最初に、図２に示されているように、長側壁２０を、底部１０方向に倒して、底部１０に重ね、次いで、短側壁３０を、底部１０方向に倒して、底部１０に重ねられている長側壁２０の上に重ねることにより、折り畳むことができるように構成されている。
【００１０】
ヒンジ部材Ｈ間に位置する底部１０の高さの高い短辺側土手部１０ｂは、図４に示されているように、垂直外壁部１０ｂ１と、垂直内壁部１０ｂ２と、垂直外壁部１０ｂ１の上端と垂直内壁部１０ｂ２の上端を連結する水平な天部１０ｂ３とから構成された逆Ｕ字状に形成されている。また、底部１０の裏面には、箱型に組み立てられた折り畳みコンテナーの開口部に嵌合可能な公知の嵌合部１０ｃが突設されている。
【００１１】
底部１０の短辺側土手部１０ｂの中央部領域で、且つ、ヒンジ部材Ｈ間に位置する短辺側土手部１０ｂを構成する垂直外壁部１０ｂ１には、手が入る程度の幅と高さに亘たって、垂直内壁部１０ｂ２方向に凹まして形成された持ち手用凹部４０が形成されている。本実施例においては、持ち手用凹部４０は、垂直外壁部１０ｂ１の上端と垂直内壁部１０ｂ２の上端を連結する水平な天部１０ｂ３と、垂直外壁部１０ｂ１と垂直内壁部１０ｂ２とを連結する略水平な下板４０ａと、垂直外壁部１０ｂ１と垂直内壁部１０ｂ２とを連結する、相対する側板４０ｂとにより囲まれて形成されている。持ち手用凹部４０は、相対する短辺側土手部１０ｂに、それぞれ形成されている。
【００１２】
上述したように構成された折り畳みコンテナーを、折り畳んだ状態で、図６に示されているように、段積みした際には、底部１０の相対する短辺側土手部１０ｂの中央部領域に、それぞれ、持ち手用凹部４０が形成されているので、この持ち手用凹部４０に、それぞれ手を入れて、持ち上げることにより、簡単に、且つ、容易に、折り畳んだ状態の折り畳みコンテナーを持ち上げることができる。
【００１３】
図７に示されている実施例は、底部１０の短辺側土手部１０ｂより高さの低い長辺側土手部１０ａが、上述した短辺側土手部１０ｂと同様に、逆Ｕ字状に形成されている場合に、長辺側土手部１０ａの中央部領域にも、短辺側土手部１０ｂに配設された持ち手用凹部４０と同様の持ち手用凹部５０を形成したものである。
【００１４】
短側壁３０の高さが高い場合には、換言すれば、箱型に組み立てられた折り畳みコンテナーの深さが深い場合には、倒された状態の相対する短側壁３０の上端部３０ａ間には間隙が存在しない場合がある。このように、倒された状態の相対する短側壁３０の上端部３０ａ間には間隙が存在しないと、上に位置する段積みされた折り畳まれた状態の折り畳みコンテナーの底部１０の長辺側土手部１０ａと、下に位置する段積みされた折り畳まれた状態の折り畳みコンテナーの底部１０の長辺側土手部１０ａとの間には、手が入ることが可能な充分な間隙が存在しない場合がある。このような場合においても、上述したように、長辺側土手部１０ａの中央部領域に持ち手用凹部５０を形成することにより、持ち手用凹部５０に手を入れて、底部１０の長辺側土手部１０ａを持って、折り畳まれた状態の折り畳みコンテナーを持ち上げることができる。
【００１５】
【発明の効果】
本発明は、以上説明した構成を有しているので、以下に記載する効果を奏するものである。
【００１６】
底部を構成する高さの高い短辺側土手部に、持ち手用凹部を形成したので、段積みされた折り畳まれた状態の折り畳みコンテナーから、所望の折り畳まれた状態の折り畳みコンテナーを、容易に、且つ、安定した状態で、持ち上げ取り出すことができる。
【図面の簡単な説明】
【図１】図１は本発明の折り畳みコンテナーの箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の図３におけるＩ−Ｉ線に沿った部分垂直断面図である。
【図５】図５は本発明の折り畳みコンテナーの底部の図３におけるII−II線に沿った部分垂直断面図である。
【図６】図６は本発明の折り畳まれた折り畳みコンテナーが段積みされた状態の斜視図である。
【図７】図７は本発明の別の実施例の折り畳みコンテナーの折り畳まれた状態の斜視図である。
【図８】図８は従来の折り畳まれた折り畳みコンテナーが段積みされた状態の斜視図である。
【符号の説明】
Ｈ・・・・・・・・・・・・ヒンジ部材
１０・・・・・・・・・・・底部
１０ａ・・・・・・・・・・長辺側土手部
１０ｂ・・・・・・・・・・短辺側土手部
２０・・・・・・・・・・・長側壁
３０・・・・・・・・・・・短側壁
４０、５０・・・・・・・・持ち手用凹部
【図１】
0004261116.tif 000002
【図２】
0004261116.tif 000003
【図３】
0004261116.tif 000004
【図４】
0004261116.tif 000005
【図５】
0004261116.tif 000006
【図６】
0004261116.tif 000007
【図７】
0004261116.tif 000008
【図８】
0004261116.tif 000009